(57)【要約】      （修正有）【課題】溶接を行わないときに、誤って溶接トーチの操作スイッチがＯＮすることがない溶接トーチを提供する。【解決手段】トーチホルダ１７内に設けられてＯＮしたときに溶接を開始する操作スイッチと、基端部をトーチホルダに回動自在に取り付け水平方向に位置させ、先端部を押し上げたときに操作スイッチをＯＮする操作レバー１２と、基端部を操作レバーの先端部に回動自在に取り付け、ロックレバー１３が垂直方向に戻されたときに操作レバーに当接し、側面基端部に突起部を形成したロックレバーと、ロックレバーを垂直方向に戻すばねとを備えている。ロックレバーが垂直方向に位置したままで操作レバーを押し上げたときに、突起部がトーチホルダの下端部に当接して操作スイッチをＯＮすることを拘束し、ロックレバーを水平方向に押し上げたままで操作レバーを押し上げたときに、操作スイッチをＯＮするように突起部を形成した。【選択図】図１
2008246528.tif 000002
【特許請求の範囲】
【請求項１】
トーチホルダと、
前記トーチホルダ内に設けられてＯＮしたときに溶接を開始する操作スイッチと、
基端部をトーチホルダに回動自在に取り付け水平方向に位置させ、先端部を押し上げたときに前記操作スイッチをＯＮする操作レバーとを備えた溶接トーチにおいて、
基端部に突起部を形成し、この基端部を前記操作レバーの先端部にロックレバー回動軸を中心にして回動自在に取り付けたロックレバーと、
前記ロックレバーの回動軸と同軸に取り付けて前記ロックレバーを垂直方向に戻すようにばね力が働くばねとを備え、
前記ロックレバーが前記ばね力によって垂直方向に戻されたときに前記操作レバーに当接して前記操作レバーと前記ロックレバーとがＬ字状を形成して、この状態で前記操作レバーを押し上げたときに、前記突起部が前記トーチホルダの下端部に当接して前記操作レバーが前記操作スイッチをＯＮすることを拘束し、前記ロックレバーを水平方向に押し上げると前記突起部が前記トーチホルダの下端部から離れ、この状態で前記操作レバーを押し上げたときに前記操作レバーが前記操作スイッチをＯＮするように前記操作レバー及び前記ロックレバーを形成したことを特徴とする溶接トーチ。
【請求項２】
請求項１記載のロックレバーが垂直方向に戻されたとき、その先端部が、前記ロックレバー回動軸の鉛直線よりも前記操作レバー側にあることを特徴とする溶接トーチ。
【発明の詳細な説明】
【技術分野】
【０００１】
本発明は、溶接作業者が溶接トーチを手で持って操作して溶接を行う半自動アーク溶接における溶接トーチに関するものである。
【背景技術】
【０００２】
図４は、半自動アーク溶接装置の構成を示す図である。同図において、ワイヤリール１に巻かれた溶接ワイヤがワイヤ送給機２によって溶接トーチ３まで送給される。ガスボンベ４からシールドガスが溶接トーチ３に供給される。溶接用電源５から溶接トーチ３と被溶接物６との間に電力が供給される。リモコンボックス７によって、溶接電流と溶接電圧が設定される。
【０００３】
図５は、従来技術の溶接トーチ３を示す図である。この溶接トーチ３には、操作レバー８が設けられていて、溶接作業者が溶接トーチ３のトーチホルダ９を握って、この操作レバー８を押し上げると、トーチホルダ９内に設けられた操作スイッチ（図示を省略）がＯＮする。その結果、図４に示したガスボンベ４からシールドガスが溶接トーチ３に供給され、溶接用電源５から溶接トーチ３と被溶接物６との間に電力が供給される。また、ワイヤ送給機２によって溶接ワイヤが溶接トーチ３に送給されて溶接が行われる。（例えば、特許文献１参照。）。
【特許文献１】特開平１１−１０４８３４号公報
【発明の開示】
【発明が解決しようとする課題】
【０００４】
半自動アーク溶接装置において、一般的に、溶接作業を行わないときには溶接トーチ３が作業場に放置されている。そのために、溶接作業者が誤って溶接トーチ３の操作レバー８に触れたり、他の機器と壁との間に操作レバー８が挟まれたりすると、操作スイッチがＯＮする。その場合、シールドガスや溶接ワイヤを無用に供給することになり、資材を浪費する不具合があった。
【０００５】
本発明は、溶接を行っていないときに、誤って溶接トーチの操作スイッチがＯＮすることがない溶接トーチを提供することを目的としている。
【課題を解決するための手段】
【０００６】
第１の発明は、
トーチホルダと、
前記トーチホルダ内に設けられてＯＮしたときに溶接を開始する操作スイッチと、
基端部をトーチホルダに回動自在に取り付け水平方向に位置させ、先端部を押し上げたときに前記操作スイッチをＯＮする操作レバーとを備えた溶接トーチにおいて、
基端部に突起部を形成し、この基端部を前記操作レバーの先端部にロックレバー回動軸を中心にして回動自在に取り付けたロックレバーと、
前記ロックレバーの回動軸と同軸に取り付けて前記ロックレバーを垂直方向に戻すようにばね力が働くばねとを備え、
前記ロックレバーが前記ばね力によって垂直方向に戻されたときに前記操作レバーに当接して前記操作レバーと前記ロックレバーとがＬ字状を形成して、この状態で前記操作レバーを押し上げたときに、前記突起部が前記トーチホルダの下端部に当接して前記操作レバーが前記操作スイッチをＯＮすることを拘束し、前記ロックレバーを水平方向に押し上げると前記突起部が前記トーチホルダの下端部から離れ、この状態で前記操作レバーを押し上げたときに前記操作レバーが前記操作スイッチをＯＮするように前記操作レバー及び前記ロックレバーを形成したことを特徴とする溶接トーチである。
【０００７】
第２の発明は、
第１の発明に記載のロックレバーが垂直方向に戻されたとき、その先端部が、前記ロックレバー回動軸の鉛直線よりも前記操作レバー側にあることを特徴とする溶接トーチである。
【発明の効果】
【０００８】
溶接を行っていないときに、溶接作業者が誤って溶接トーチの操作レバーに触れたり、他の機器と壁との間に操作レバー挟まれたりしても、操作スイッチがＯＮすることが拘束される。その結果、シールドガスや溶接ワイヤを無用に供給することがなく、資材を浪費することがないという効果を奏する。
【発明を実施するための最良の形態】
【０００９】
発明の実施の形態を実施例に基づき図面を参照して説明する。図１は、本発明の溶接トーチ１１を示す図であり、図２は、本発明の溶接トーチ１１の操作レバー１２とロックレバー１３とを組み合わせたときの斜視図であって、同図（Ａ）は上前方から見た斜視図であり、同図（Ｂ）は上後方から見た斜視図であり、同図（Ｃ）は下前方から見た斜視図であり、同図（Ｄ）は下後方から見た斜視図である。図３は、本発明の溶接トーチ１１の操作レバー１２とロックレバー１３との動作を説明する図である。
【００１０】
図１乃至図３において、トーチ本体１４内には、図示を省略したチップ本体とその先端部に給電チップが取り付けられていて、給電チップをノズル１５が取り囲んでいる。一線式パワーケーブル１６の中を電力とシールドガスとが一体となって供給される。また、図４に示したワイヤリール１に巻かれた溶接ワイヤがワイヤ送給機２によって送り出され、この溶接ワイヤが、一線式パワーケーブル１６の中心を送給される。トーチホルダ１７は、トーチ本体１４と一線式パワーケーブル１６とを一体的に取り付けている。
【００１１】
また、操作スイッチ１８がトーチホルダ１７内に設けられていて、この操作スイッチ１８をＯＮしたときに、電力とシールドガスとの供給が開始され、また、溶接ワイヤの送給が開始される。操作レバーの基端部１２ｃをトーチホルダ１７に操作レバー回動軸１２ａを中心に回動自在に取り付けて、操作レバー１２を水平方向に設けている。この操作レバーの先端部１２ｄを押し上げたときに、操作スイッチ１８に当接して操作スイッチ１８がＯＮする。この操作レバー１２は、操作レバー用ばね１９のばね力によって下方向へ押し下げられていて、トーチホルダ１７の段部１７ａに当接して静止している。
【００１２】
また、ロックレバーの基端部１３ｃを、操作レバーの先端部１２ｄにロックレバー回動軸１３ａを中心にして回動自在に取り付けていて、このロックレバー１３の両側面の基端部に、突起部１３ｂ、１３ｂを形成している。また、ロックレバー用ばね２０をロックレバー回動軸１３ａと同軸に取り付けていて、ロックレバー１３を垂直方向に戻すようにばね力が働き、ロックレバー１３が垂直方向に戻されたときに、ロックレバー１３が操作レバーの先端部１２ｄに当接して、操作レバー１２とロックレバー１３とがＬ字状を形成して、ロックレバー１３が静止する。
【００１３】
以下、図３を参照して、動作を説明する。同図（Ａ）に示すように、溶接作業者が操作レバー１２に触れていないときは、操作レバー１２は、操作レバー用ばね１９によって下方向へ押し下げられていて、トーチホルダの段部１７ａに当接して静止している。さらに、ロックレバー１３も、ロックレバー用ばね２０によって垂直方向に戻されて、操作レバーの先端部１２ｄに当接して静止している。この状態で操作レバー１２を上方向へ押し上げる外力が働いても、ロックレバー１３の両側面の基端部に形成した突起部１３ｂ，１３ｂが、トーチホルダの下端部１７ｂに当接して、操作レバー１２が操作スイッチ１８をＯＮすることを拘束している。
【００１４】
次に、図３（Ｂ）に示すように、溶接作業者が、溶接トーチ１１のトーチホルダ１７を握って、ロックレバー１３をロックレバー回動軸１３ａを中心に反時計方向に回転させて、水平方向に押し上げると、ロックレバーの突起部１３ｂ，１３ｂもロックレバー回動軸１３ａを中心に反時計方向に回転して、トーチホルダの下端部１７ｂから離れる。そして、同図（Ｃ）に示すように、ロックレバー１３を水平方向に押し上げたままで、操作レバー１２を押し上げたときに、操作レバー１２がトーチホルダ１７内に設けられた操作スイッチ１８と当接してＯＮする。この結果、図４に示したガスボンベ４からシールドガスが溶接トーチ１１に供給され、溶接トーチ１１と被溶接物６との間に電力が供給され、また、ワイヤ送給機２によって溶接トーチ１１に溶接ワイヤの送給が開始されて溶接が行われる。
【００１５】
溶接が終了して、溶接作業者が操作レバー１２から指を放すと、図３（Ａ）に示したように、操作レバー１２は、操作レバー用ばね１９によって下方向へ押し下げられて、トーチホルダ１７の段部１７ａに当接して静止する。さらに、ロックレバー１３も、ロックレバー用ばね２０によってロックレバー回動軸１３ａを中心に時計方向に回転されて、垂直方向に戻されて、操作レバーの先端部１２ｄに当接して静止する。そして、ロックレバーの突起部１３ｂ，１３ｂが、トーチホルダ１７の下端部１７ｂに当接して、操作レバー１２が操作スイッチ１８をＯＮすることを拘束する。
【００１６】
この結果、溶接を終了して溶接作業者が操作レバー１２から指を放したときや、作業を行わず、溶接トーチ１１が作業場に放置されているときには、操作レバー１２は、操作レバー用ばね１９によって下方向へ押し下げられ、さらに、ロックレバー１３も、ロックレバー用ばね２０によって垂直方向の位置に戻されている。このとき、ロックレバー１３の両側面の基端部に形成した突起部１３ｂ，１３ｂが、トーチホルダ１７の下端部１７ｂに当接して、操作レバー１２が操作スイッチ１８をＯＮすることを拘束する。
【００１７】
従って、溶接を行っていないときに、溶接作業者が誤って溶接トーチ１１の操作レバー１２に触れたり、他の機器と壁との間に操作レバー１２挟まれたりしても、操作スイッチ１８がＯＮすることが拘束される。その結果、シールドガスや溶接ワイヤを無用に供給することがなく、資材を浪費することがないという効果を奏する。
【００１８】
尚、図３において、ロックレバー１３の両側面の基端部に、突起部１３ｂ、１３ｂを形成しているが、この突起部１３ｂは、側面片側の基端部のみに形成してもよい。
【００１９】
また、溶接作業者が操作レバー１２から指を放して、ロックレバー１３が垂直方向に戻されたとき、その先端部１３ｄを湾曲させたり、Ｌ字形状にして、ロックレバー１３の先端部１３ｄが、ロックレバー回動軸１３ａの鉛直線２１よりも操作レバー１２側にあるようにすることが好ましい。この場合、溶接トーチ１１が作業場に放置されているときに、ロックレバー１３の先端部１３ｄに下方から外力が働いても、この外力は、ロックレバー１３が時計方向に回転するように働く。従って、ロックレバー１３が反時計方向に回転することがないので、より確実に操作スイッチ１８がＯＮすることを拘束することができる。
【図面の簡単な説明】
【００２０】
【図１】本発明の溶接トーチ１１を示す図である。
【図２】本発明の溶接トーチ１１の操作レバー１２とロックレバー１３とを組み合わせたときの斜視図である。
【図３】本発明の溶接トーチ１１の操作レバー１２とロックレバー１３との動作を説明する図である。
【図４】半自動アーク溶接装置の構成を示す図である。
【図５】従来技術の溶接トーチ３を示す図である。
【符号の説明】
【００２１】
１            ワイヤリール
２            ワイヤ送給機
３            溶接トーチ
４            ガスボンベ
５            溶接用電源
６            被溶接物
７            リモコンボックス
８            操作レバー
９            トーチホルダ
１１            溶接トーチ
１２            操作レバー
１２ａ            操作レバー回動軸
１２ｃ            操作レバーの基端部
１２ｄ            操作レバーの先端部
１３            ロックレバー
１３ａ            ロックレバー回動軸
１３ｂ，１３ｂ        ロックレバーの突起部
１３ｃ            ロックレバーの基端部
１３ｄ            ロックレバーの先端部
１４            トーチ本体
１５            ノズル
１６            一線式パワーケーブル
１７            トーチホルダ
１７ａ            トーチホルダの段部
１７ｂ            トーチホルダの下端部
１８            操作スイッチ
２１            ロックレバー回動軸の鉛直線
【図１】
2008246528.tif 000003
【図２】
2008246528.tif 000004
【図３】
2008246528.tif 000005
【図４】
2008246528.tif 000006
【図５】
2008246528.tif 000007